(57)【要約】      （修正有）【課題】本体への取り付けの耐久性が高く、着脱時の操作性の良いフィルターカバーを備えた電気掃除機を得る。【解決手段】電動送風機９を内蔵する本体ケースと、電動送風機９により吸引された空気に含まれる塵埃を捕集する集塵部２０と、集塵部２０の下流側に設けられて塵埃を捕集するフィルターユニット４０と、フィルターユニット４０を開閉可能に覆うフィルターカバー３０とを備え、フィルターカバー３０の一端は、軸支持部により本体ケースに回動自在に取り付けられ、フィルターカバー３０の他端には、フィルターカバー３０を閉じた状態で本体ケースに設けられた被係合部に係合してフィルターカバー３０が開くのを規制するフック３４を回動自在に取り付け、フック３４を開くときの回動方向と、フィルターカバー３０を開くときの回動方向とを同じ方向とした。【選択図】図４
2011245210.tif 000002
【特許請求の範囲】
【請求項１】
吸引力を発生する電動送風機と、
前記電動送風機を内蔵する本体ケースと、
前記電動送風機により吸引された空気に含まれる塵埃を捕集する集塵部と、
前記集塵部の下流側に設けられて塵埃を捕集するフィルターと、
前記フィルターを開閉可能に覆うフィルターカバーとを備え、
前記フィルターカバーの一端は、軸支持部により前記本体ケースに回動自在に取り付けられ、
前記フィルターカバーの他端には、前記フィルターカバーを閉じた状態で前記本体ケースに設けられた被係合部に係合して前記フィルターカバーが開くのを規制する係止フックを回動自在に取り付け、
前記係止フックを開くときの回動方向と、前記フィルターカバーを開くときの回動方向とを同じ方向とした
ことを特徴とする電気掃除機。
【請求項２】
前記フィルターが取り付けられていないときには、前記フィルターカバーが閉じるのを妨げるストッパーを備えた
ことを特徴とする請求項１記載の電気掃除機。
【請求項３】
前記フィルターカバーは、前記集塵部の出口との連通口を備えていて前記集塵部と前記電動送風機とを繋ぐ風路を形成しており、
前記集塵部を、前記フィルターカバーの上側に配置した
ことを特徴とする請求項２記載の電気掃除機。
【請求項４】
前記集塵部は、前記本体ケースに着脱可能に取り付けられており、
前記フィルターカバーは、前記集塵部の出口と前記フィルターとの間に介在しているとともに、前記集塵部と前記フィルターとを連通可能な連通口を備えていて、
前記集塵部を前記本体ケースから取り外した状態で、前記フィルターカバーを開いて前記フィルターを露出させることができる
ことを特徴とする請求項１〜請求項３のいずれかに記載の電気掃除機。
【請求項５】
前記軸支持部は、前記フィルターカバーと前記本体ケースのうち一方に設けられた中空の回動軸と、他方に設けられ前記回動軸を嵌合させて支持する軸受け部とを備え、
前記中空の回動軸と前記軸受け部とにリード線を通し、前記フィルターカバーに取り付けられた電気部品に電力を供給可能とした
ことを特徴とする請求項１〜請求項４のいずれかに記載の電気掃除機。
【請求項６】
吸引力を発生する電動送風機と、
前記電動送風機を内蔵する本体ケースと、
前記電動送風機により吸引された空気に含まれる塵埃を捕集する集塵部と、
前記集塵部の下流側に設けられて塵埃を捕集するフィルターと、
軸支持部により前記本体ケースに回動自在に取り付けられ、前記フィルターを開閉可能に覆うフィルターカバーとを備え、
前記軸支持部は、前記フィルターカバーと前記本体ケースのうち一方に設けられた中空の回動軸と、他方に設けられ前記回動軸を嵌合させて支持する軸受け部とを備え、
前記中空の回動軸と前記軸受け部とにリード線を通し、前記フィルターカバーに取り付けられた電気部品に電力を供給可能とした
ことを特徴とする電気掃除機。
【発明の詳細な説明】
【技術分野】
【０００１】
本発明は、電気掃除機に関する。
【背景技術】
【０００２】
電気掃除機は、電動送風機の吸引力により吸引された空気に含まれる塵埃を集塵部で捕集するが、この集塵部で捕集しきれなかった軽くて微細な塵埃等を捕集するため、集塵部の下流側に集塵用のフィルターを備えているのが一般的である。従来、このようなフィルターを保持するためのフィルターカバーとして、「本体前部１３ａに取り付けるための固定爪３０ａおよび凹部３０Ｃを有した係止部３０ｄを一体的に有している」ものが提案されている（例えば、特許文献１参照）。
【先行技術文献】
【特許文献】
【０００３】
【特許文献１】特開２００２−２７２６５６号公報（第３頁、図１）
【発明の概要】
【発明が解決しようとする課題】
【０００４】
上記特許文献１に記載の技術においては、フィルターカバーを本体に取り付けるための係止部（固定爪、凹部）を、フィルターカバー自身に一体的に備えていて、フィルターカバーを本体に着脱する際には、フィルターカバー自身を弾性変形させて固定爪を本体に係合させる。このため、フィルターカバーの着脱を繰り返すと、フィルターカバーを繰り返し弾性変形させることとなる結果、疲労によりフィルターカバーの本体への係止力が弱くなってフィルターカバーを適切に本体に取り付けることができなくなるおそれがあった。また、フィルターカバーを弾性変形させるときには、ユーザが強い力でフィルターカバーを所定方向へ押圧する必要があり、操作性が悪かった。
【０００５】
本発明は、上記の課題を解決するためになされたものであり、本体への取り付けの耐久性が高く、着脱時の操作性の良いフィルターカバーを備えた電気掃除機を提供するものである。
【課題を解決するための手段】
【０００６】
本発明に係る電気掃除機は、吸引力を発生する電動送風機と、前記電動送風機を内蔵する本体ケースと、前記電動送風機により吸引された空気に含まれる塵埃を捕集する集塵部と、前記集塵部の下流側に設けられて塵埃を捕集するフィルターと、前記フィルターを開閉可能に覆うフィルターカバーとを備え、前記フィルターカバーの一端は、軸支持部により前記本体ケースに回動自在に取り付けられ、前記フィルターカバーの他端には、前記フィルターカバーを閉じた状態で前記本体ケースに設けられた被係合部に係合して前記フィルターカバーが開くのを規制する係止フックを回動自在に取り付け、前記係止フックを開くときの回動方向と、前記フィルターカバーを開くときの回動方向とを同じ方向としたものである。
【発明の効果】
【０００７】
本発明に係る電気掃除機は、フィルターカバーの他端に回動自在に設けた係止フックによりフィルターカバーが開くのを規制するようにしたので、固定爪による固定と比べてフィルターカバーの保持力を向上させることができる。また、係止フックを開くときの回動方向と、フィルターカバーを開くときの回動方向とを同じ方向としたので、係止フックを開くときの動作の流れでフィルターカバーをも開くことができ、ユーザの操作性を向上させることができる。
【図面の簡単な説明】
【０００８】
【図１】実施の形態１に係る電気掃除機の外観斜視図である。
【図２】図１の掃除機本体の平面図である。
【図３】図１の掃除機本体の右側面図である。
【図４】図２のＡ−Ａ矢視断面図である。
【図５】実施の形態１に係る掃除機本体から集塵部を取り外した状態の斜視図である。
【図６】実施の形態１に係る掃除機本体からフィルターカバーを取り外した状態の斜視図である。
【図７】実施の形態１に係る掃除機本体のフィルターカバーを閉じた状態の背面斜視図である。
【図８】実施の形態１に係る掃除機本体のフィルターカバーを開けた状態の背面斜視図である。
【図９】図７のフィルターユニットの分解図である。
【図１０】図８の縦断面図である。
【図１１】実施の形態１に係る格子部品の例を示す図である。
【図１２】実施の形態１に係るフィルターカバーのフックを説明する要部断面図である。
【図１３】実施の形態２に係る掃除機本体の要部断面図である。
【図１４】実施の形態２に係る掃除機本体のフィルターユニットを取り外した状態を示す要部断面図である。
【図１５】実施の形態２に係る掃除機本体のフィルターユニットを取り付ける際の動作を説明する要部断面図である。
【図１６】実施の形態３に係る掃除機本体のフィルターカバーを開けた状態の要部斜視図である。
【図１７】実施の形態３に係るフィルターカバーを取り外した状態の分解図である。
【図１８】実施の形態３に係るフィルターカバーの軸支持部を示す要部断面模式図である。
【発明を実施するための形態】
【０００９】
実施の形態１.
図１は本発明に係る電気掃除機の外観斜視図である。図１に示すように、電気掃除機１００は、吸込具１と、延長パイプ２と、手元ホース３と、ホース４と、掃除機本体５とを備えている。吸込具１は床面上の塵埃及び含塵空気（塵を含む空気）を吸い込む。吸込具１の出口側には真直な円筒状の延長パイプ２の一端が接続されている。延長パイプ２の他端には、電気掃除機１００の運転を制御する操作スイッチ８が設置された取手が設けられた手元ホース３の一端が接続されている。手元ホース３の他端には、可撓性を有する蛇腹状のホース４の一端が接続されている。さらに、ホース４の他端には、掃除機本体５が接続されている。掃除機本体５の後部には車輪６を備えており、掃除機本体５の前方下面に備えた前キャスター（図示せず）と車輪６とにより、掃除機本体５は移動可能になっている。掃除機本体５には電源コード７が接続されており、電源コード７が外部電源に接続されることで、通電し、電動送風機９（図７参照）が駆動されて吸引動作を行う。吸込具１、延長パイプ２、手元ホース３及びホース４は、含塵空気を掃除機本体５の外から内部に流入させるための吸引経路の一部を構成する。
【００１０】
図２は掃除機本体５の平面図、図３は掃除機本体５の右側面図、図４は図２のＡ−Ａ矢視断面図、図５は掃除機本体５から集塵部２０を取り外した状態の斜視図である。また、図６はフィルターカバー３０を取り外した状態の斜視図、図７はフィルターカバー３０を閉じた状態の背面斜視図、図８はフィルターカバー３０を開けた状態の背面斜視図、図９はフィルターユニット４０の分解図、図１０は図９の縦断面図である。図２〜図１０に示すように、掃除機本体５は、本体ケース１０と、集塵部２０と、フィルターカバー３０と、フィルターユニット４０とを備えている。
【００１１】
掃除機本体５の外殻を構成する本体ケース１０は、上部を開口し電動送風機９や各種制御基板（図示せず）を収容する下ケース１１と、下ケースの開口部を覆う上ケース１２と、ホース４を接続可能なホース接続口１３とを備えている。このホース接続口１３は、掃除機本体５に吸引される空気の入口である。上ケース１２の上面は、集塵部２０を載置可能な形状に構成されている。
【００１２】
本体パイプ１４は、各種樹脂で構成されていて、ホース４が接続されるホース接続口１３と集塵部２０とを接続する機能を有する。本体パイプ１４は、ほぼ筒形状の集塵部２０の長手方向に沿うようにして、本体ケース１０の上に載置されている。排気孔１５は、電動送風機９からの排気を外部に排出するために設けられた多数の孔で構成されている。
【００１３】
本体ケース１０は、電動送風機９の真上の位置に吸引開口部１６が設けられていて、この吸引開口部１６を通って電動送風機９へ空気が吸引される。吸引開口部１６には、本体ケース１０内に異物が落下するのを抑制するための格子部品１７が取り付けられている。なお、図１１に示すように、合成繊維等で構成されたフィルターネット１７ａを、インサート成形により格子部品１７の上面に一体化させてもよい。このようにすると、例えば掃除等のためにフィルターユニット４０を取り外した場合に、格子部品１７を介して本体ケース１０内に異物が落下するのをさらに抑制することができる。また、格子部品１７にフィルターネット１７ａをインサート成形することで、両者を１部品として扱うことができるので、電気掃除機１００の部品点数を減らすことができるとともに組み立ての手間を軽減できる。
【００１４】
集塵部２０は、電動送風機９の吸引力により吸引された空気に含まれる塵埃を捕集するものであり、掃除機本体５への吸引空気の入口であるホース接続口１３から電動送風機９へ至る吸引経路の一部を構成している。集塵部２０の集塵方式は、サイクロン方式あるいは紙パック方式のいずれでもよい。集塵部２０の出口側は、本実施の形態では、フィルターカバー３０に接続されている。集塵部２０は、図５に示すように本体ケース１０から着脱可能である。集塵部２０に塵埃等が溜まった場合には、集塵部２０を本体ケース１０から取り外して塵埃等を廃棄する。
【００１５】
フィルターカバー３０は、フィルターユニット４０を外側から開閉可能に覆うカバーであり、本体ケース１０の上面に取り付けられている。本実施の形態では、フィルターカバー３０は、カバー本体３１と、集塵部２０から排出された空気の入口である連通口３２とを備えていて、集塵部２０と電動送風機９とを繋ぐ風路を形成している。フィルターカバー３０は、集塵部２０の出口側とフィルターユニット４０との間に介在していて、カバー本体３１によってフィルターユニット４０の外周及び上面を覆っているが、連通口３２により集塵部２０とフィルターユニット４０とを連通させている。フィルターカバー３０の一端には回動軸３３が形成されていて、この回動軸３３が本体ケース１０の上面に設けられた軸受け部１９に回動可能に保持されている。そして、回動軸３３と軸受け部１９とにより構成される軸支持部により、フィルターカバー３０は回動自在となっている。
【００１６】
フィルターユニット４０は、集塵部２０から排出された空気に含まれる微細な塵埃を捕集するためのものであり、吸引開口部１６の上流側に、吸引開口部１６を覆うように設置されている。掃除機本体５に吸引された空気に含まれる塵埃は、基本的には集塵部２０に捕集されるが、この集塵部２０で捕集しきれなかった微細な塵埃を電動送風機９に吸引させないために、フィルターユニット４０を設けている。本実施の形態１では、フィルターユニット４０は、１次フィルター４１と２次フィルター４２とで構成されている。１次フィルター４１及び２次フィルター４２は、例えばハニカム形状、コルゲート形状、プリーツ形状、平板形状に形成された不織布で構成されている。２次フィルター４２の方が１次フィルター４１よりもフィルターの目が細かく、１次フィルター４１を通過した微細な塵埃を２次フィルター４２で捕集する。
フィルターユニット４０は、掃除機本体５から集塵部２０が取り外された状態ではまだフィルターカバー３０に覆われており、フィルターカバー３０を回動させることで、フィルターユニット４０を露出させることができるようになっている。これは、フィルターユニット４０を確実に保護し、かつフィルターユニット４０の清掃性を確保するためであり、フィルターユニット４０の保護とメンテナンス性を両立させるための構成となっている。
【００１７】
次に、掃除機本体５に吸い込まれた空気の流れを説明する。本体ケース１０内に収容された電動送風機９を駆動させると、含塵空気は、ホース接続口１３と本体パイプ１４を経て集塵部２０に取り込まれ、取り込まれた空気に含まれる塵埃は集塵部２０に捕集される。集塵部２０を通過した空気は、フィルターカバー３０を経由してフィルターユニット４０を通過し、このときに空気に含まれる塵埃がフィルターユニット４０に捕集される。フィルターユニット４０を通過した空気は、格子部品１７を通って本体ケース１０内に流入し、電動送風機９に達し、さらに図示しない内部通路を経て排気孔１５から排気される。
【００１８】
次に、フィルターカバー３０についてさらに説明する。図１２はフィルターカバー３０に設けられたフック３４を説明する要部断面図である。図１７、図１２に示すように、フィルターカバー３０の後側端部、すなわちフィルターカバーの軸支持部（回動軸３３と軸受け部１９）の反対側の端部には、２つのフック３４が設けられている。このフック３４は、回動軸３３により開閉可能に取り付けられたカバー本体３１が開かないように、カバー本体３１を本体ケース１０に固定するための部材である。なお、本実施の形態１ではフック３４を２つ設ける例を説明するが、フック３４を１つあるいは３つ以上設けてもよい。
【００１９】
フック３４は、軸把持部３４１と、係合部３４２と、操作部３４３とを備えている。軸把持部３４１は、カバー本体３１の後部にほぼ水平に設けられた軸部３５を回動可能に把持している。係合部３４２は、本体ケース１０の背面に設けられたフック係止部１８に係合可能な突起を有しており、係合部３４２をフック係止部１８に係合させることで、カバー本体３１が本体ケース１０に固定されてカバー本体３１が開くのが規制される。操作部３４３は、ユーザが指をかけるための窪みが設けられた部位であり、軸把持部３４１とは反対側の端部に設けられている。本実施の形態１では、係合部３４２がフック係止部１８に係合された状態において（図１２（ａ））、軸把持部３４１が上側の端部に、操作部３４３が下側の端部に位置するように設けられている。
【００２０】
カバー本体３１を本体ケース１０に固定した状態では、図１２（ａ）に示すように、係合部３４２がフック係止部１８に係合している。カバー本体３１の本体ケース１０への固定を解除する際には、操作部３４３に指をかけて引き上げる。このようにすると、図１２（ｂ）に示すように、軸部３５を始点として軸把持部３４１が回転し、係合部３４２とフック係止部１８との係合が解除されてカバー本体３１を開くことができるようになる。
【００２１】
さらに、操作部３４３に指をかけたまま引き上げると、回動可能に保持された回動軸３３により、カバー本体３１を開けることができる。すなわち、本実施の形態では、カバー本体３１の開く方向と、フック３４の固定が解除される方向とを一致させているので、フック３４を解除する（開く）ときの動作の流れで、カバー本体３１を開けることができる。
【００２２】
以上のように本実施の形態１では、フィルターカバー３０のカバー本体３１の一端を、回動軸３３と軸受け部１９とにより構成される軸支持部により本体ケース１０に回動自在に取り付けた。また、カバー本体３１の他端には、カバー本体３１を閉じた状態で本体ケース１０に設けられたフック係止部１８に係合してカバー本体３１が開くのを規制するフック３４を回動自在に取り付け、フック３４を開くときの回動方向と、フィルターカバー３０を開くときの回動方向とを同じ方向とした。このように、フック３４によりカバー本体３１が開くのを規制するようにしたので、固定爪による固定と比べてフィルターカバー３０の保持力を向上させることができる。また、フック３４を開くときの回動方向と、フィルターカバー３０を開くときの回動方向とを同じ方向としたので、フック３４を開くときの動作の流れでカバー本体３１をも開くことができ、ユーザの操作性を向上させることができる。
【００２３】
実施の形態２．
本実施の形態２では、フィルターユニット４０が取り付けられていないときにはフィルターカバー３０が閉じないようにするための構造を説明する。図１３は実施の形態２に係る電気掃除機の要部断面図、図１４はフィルターユニット４０を取り外した状態を示す要部断面図、図１５はフィルターユニット４０を取り付ける際の動作を説明する要部断面図である。なお、本実施の形態２では、実施の形態１との相違点を中心に説明し、実施の形態１と同じ構成要素には同じ符号を付す。
【００２４】
図１３〜図１５に示すように、本実施の形態２に係る電気掃除機は、フィルターストッパー５０を備えている。フィルターストッパー５０は、回動軸Ｐを中心に、矢印Ｑの方向に図示しないバネ等により付勢されている。このフィルターストッパー５０は、フィルター当接部５１、爪部５２、干渉部５３とを備えている。
【００２５】
フィルター当接部５１は、図１３に示すようにフィルターユニット４０を取り付けた状態において、フィルターユニット４０の背面に縦方向に沿うように接する。爪部５２は、フィルター当接部５１の下端部から本体ケース１０の前方内側に向かってほぼ直角に伸びており、フィルターユニット４０を取り付けた状態ではフィルターユニット４０の底面に接する。干渉部５３は、フィルター当接部５１の上端部から本体ケース１０の後斜め上外側に向かって伸びている。
【００２６】
図１４に示すように、フィルターユニット４０が取り付けられていないときには、バネで付勢されたフィルターストッパー５０が矢印Ｑの方向に回動し、干渉部５３が本体ケース１０の背面よりも外側に飛び出す。このため、フィルターカバー３０を閉じようとしても、この干渉部５３が本体ケース１０の上端部に載っているためにフィルターカバー３０を閉じることができない。
【００２７】
図１５に示すように、フィルターユニット４０を取り付ける際には、爪部５２にフィルターユニット４０の後側の下端部を載置するようにして、フィルターユニット４０を押し下げる。そうすると、フィルターユニット４０に爪部５２が押されてフィルターストッパー５０は矢印Ｒの方向に回動し、これに伴って干渉部５３は本体ケース１０の内側に戻る。このようにしてフィルターユニット４０を取り付けると、フィルターカバー３０を閉めることができる。
【００２８】
以上のように、本実施の形態２に係る電気掃除機は、フィルターユニット４０が取り付けられていないときにはフィルターカバー３０が閉じるのを妨げるフィルターストッパー５０を備えたので、フィルターユニット４０の取り付け忘れを防止することができる。
【００２９】
また、本実施の形態２に係る電気掃除機は、フィルターカバー３０の上側に、集塵部２０を取り付ける構成となっている。このため、フィルターユニット４０が取り付けられていないためにフィルターカバー３０を閉めることができなければ、集塵部２０を取り付けることもできない。したがって、フィルターユニット４０が取り付けられていない状態で吸引するのを防ぐことができる。フィルターユニット４０が取り付けられていない状態で電動送風機９を駆動すると、吸気中に含まれる塵埃が電動送風機９に吸い込まれうるが、本実施の形態２ではそのような事態を回避でき、電動送風機９の故障を抑制することができる。
【００３０】
実施の形態３．
本実施の形態３では、フィルターカバー３０を本体ケース１０に回動可能に保持している軸支持部について説明する。図１６はフィルターカバー３０を開けた状態の掃除機本体５の要部斜視図、図１７はフィルターカバー３０を取り外した状態の分解図である。なお、本実施の形態３では、実施の形態１との相違点を中心に説明し、実施の形態１と同じ構成要素には同じ符号を付す。
【００３１】
図１６、図１７に示すように、フィルターカバー３０には、電気部品６０が取り付けられている。すなわち、この電気部品６０は、電源回路等の各種制御基板が収容された本体ケース１０の外側であるフィルターカバー３０に、取り付けられている。本実施の形態３では、フィルターカバー３０に設けられた開口部に電気部品６０が設置されていて、フィルターカバー３０の上面側に電気部品６０のリード線接続端子６２が設けられている。この電気部品６０は、電力を供給されて動作する任意の部品であり、例えば、フィルターユニット４０に向けてオゾンを発生させ、このオゾンによりフィルターユニット４０の脱臭・殺菌を行うオゾン発生装置である。そして、電気部品６０に電力を供給するためのリード線６１が、本体ケース１０からフィルターカバー３０まで延びている。
【００３２】
次に、本体ケース１０にフィルターカバー３０を回動可能に支持する軸支持部の構成について説明する。フィルターカバー３０には、回動軸３３Ａが横方向外側に向かって延びている。この回動軸３３Ａは、中空であり、フィルターカバー３０の上面に設けられた配線室３７に通じている。配線室３７は、電気部品６０のリード線接続端子６２を収容する空間である。配線室３７にはリード線カバー３８が被せられていて、このリード線カバー３８が被せられた状態ではリード線６１が露出しないようになっている。
【００３３】
本体ケース１０の上面には、回動軸３３Ａを回動可能に支持する軸受け部１９が形成されている。軸受け部１９は、回動軸３３Ａを嵌合可能な内腔を有していて、この内腔は本体ケース１０の内部と通じている。
【００３４】
図１８は、本体ケース１０の軸受け部１９とフィルターカバー３０の回動軸３３Ａとを中心に示す要部断面模式図である。図１８に示すように、本体ケース１０内の電源回路（図示せず）に接続された電気部品６０のリード線６１は、軸受け部１９を介して、フィルターカバー３０の中空の回動軸３３Ａの中を通り、配線室３７内の電気部品６０に接続されている。
【００３５】
フィルターカバー３０を開閉すると、回動軸３３Ａが回動する。このとき、本体ケース１０内からフィルターカバー３０へと延びているリード線６１が屈曲するが、本実施の形態３では、中空の回動軸３３Ａ内部を貫通している部分全体でリード線６１が屈曲することとなる。すなわち、リード線６１の図１８に示すＸ部分全体で、フィルターカバー３０の開閉時の屈曲を受けることとなり、屈曲を受ける部分が集中しない。
【００３６】
電源回路等が収容された本体ケース１０の外側に電気部品６０を設ける場合、この電気部品６０への電力供給路を設ける必要がある。例えば、配線室３７の底部（本体ケース１０の上面と接している部分）にリード線６１を引き込むための穴を開けるなどして、本体ケース１０内から配線室３７へ直接リード線６１を引き込むとすると、フィルターカバー３０を開閉するとリード線６１を引き込んだ穴の部分でリード線６１が常に屈曲するので、リード線６１が断線しやすくなってしまう。
しかし、本実施の形態３によれば、フィルターカバー３０に中空の回動軸３３Ａを設けるとともに本体ケース１０に回動軸３３Ａを嵌合させて支持する軸受け部１９を設け、中空の回動軸３３Ａと軸受け部１９とにリード線を通してフィルターカバー３０に取り付けられた電気部品６０に電力を供給可能とした。このため、フィルターカバー３０を開閉したときにリード線６１の屈曲を受ける部分が分散されるため、フィルターカバー３０の開閉を繰り返してもリード線６１が断線しにくく、リード線６１の屈曲寿命を長くすることができる。
【符号の説明】
【００３７】
１  吸込具、２  延長パイプ、３  手元ホース、４  ホース、５  掃除機本体、６  車輪、７  電源コード、８  操作スイッチ、９  電動送風機、１０  本体ケース、１１  下ケース、１２  上ケース、１３  ホース接続口、１４  本体パイプ、１５  排気孔、１６  吸引開口部、１７  格子部品、１７ａ  フィルターネット、１８  フック係止部、１９  軸受け部、２０  集塵部、３０  フィルターカバー、３１  カバー本体、３２  連通口、３３  回動軸、３３Ａ  回動軸、３４  フック、３５  軸部、３７  配線室、３８  リード線カバー、４０  フィルターユニット、４１  １次フィルター、４２  ２次フィルター、５０  フィルターストッパー、５１  フィルター当接部、５２  爪部、５３  干渉部、６０  電気部品、６１  リード線、６２  リード線接続端子、１００  電気掃除機、３４１  軸把持部、３４２  係合部、３４３  操作部。
【図１】
2011245210.tif 000003
【図２】
2011245210.tif 000004
【図３】
2011245210.tif 000005
【図４】
2011245210.tif 000006
【図５】
2011245210.tif 000007
【図６】
2011245210.tif 000008
【図７】
2011245210.tif 000009
【図８】
2011245210.tif 000010
【図９】
2011245210.tif 000011
【図１０】
2011245210.tif 000012
【図１１】
2011245210.tif 000013
【図１２】
2011245210.tif 000014
【図１３】
2011245210.tif 000015
【図１４】
2011245210.tif 000016
【図１５】
2011245210.tif 000017
【図１６】
2011245210.tif 000018
【図１７】
2011245210.tif 000019
【図１８】
2011245210.tif 000020